(57)【要約】【課題】非接触タグに保持されている情報以外の情報を質問器が利用すること。【解決手段】アンテナと、アンテナと非接触タグとの相対的な距離変化を示す距離変化情報を取得する距離変化情報取得部と、を有する質問器を提供する。質問器は、アンテナに対して所定の範囲内に非接触タグを配置し、利用者が力を加えることでアンテナと非接触タグとの相対的な前記距離変化を生じさせるための非接触タグ配置部を有していてもよい。また、質問器は、取得した距離変化情報をデコードして有意味情報とするデコード部をさらに有していてもよい。【選択図】図２
2007221698.tif 000002
【特許請求の範囲】
【請求項１】
アンテナと、
アンテナと非接触タグとの相対的な距離変化を示す距離変化情報を取得する距離変化情報取得部と、
を有する質問器。
【請求項２】
アンテナに対して所定の範囲内に非接触タグを配置し、利用者が力を加えることでアンテナと非接触タグとの相対的な前記距離変化を生じさせるための非接触タグ配置部を有する請求項１に記載の質問器。
【請求項３】
非接触タグ配置部は、アンテナと非接触タグ配置面との間に弾性を有する弾性手段を配置した請求項２に記載の質問器。
【請求項４】
取得した距離変化情報をデコードして有意味情報とするデコード部をさらに有する請求項１から３のいずれか一に記載の質問器。
【請求項５】
有意味情報と、非接触タグとの通信によって得られた情報とを利用して処理を実行する情報処理部を有する請求項４に記載の質問器。
【請求項６】
アンテナと非接触タグとの相対的な距離変化を示す距離変化情報を取得する距離変化情報取得ステップを有する質問器の動作方法。
【請求項７】
取得した距離変化情報をデコードして有意味情報とするデコードステップをさらに有する請求項６に記載の質問器の動作方法。
【請求項８】
有意味情報と、非接触タグとの通信によって得られた情報とを利用して処理を実行する情報処理ステップをさらに有する請求項７に記載の質問器の動作方法。
【発明の詳細な説明】
【技術分野】
【０００１】
本発明は、非接触タグと質問器のアンテナとの間の距離の変化についての情報を利用可能な質問器に関する。
【背景技術】
【０００２】
近年ＩＣチップなどが組み込まれた非接触タグを利用したＲＦタグシステムが各種開発されている。ＲＦタグシステムは、非接触タグのＩＣチップに保持されている情報をリーダーライターとなる質問器が読み込んだり、あるいは、質問器から非接触タグのＩＣチップに対して情報を書き込んだりすることによって情報のやり取りを行うというものである。
【０００３】
これに対して、ゲーム機などにおいては、非接触タグに保持されている情報以外の情報を利用した遊技装置が開発されている。例えば特許文献１に記載のゲーム装置においては、非接触タグが付加されたキャラクタ状の物体を質問器上に載置し、その物体の位置や向きに関する情報を取得し、その情報に応じてゲーム空間中に登場させたキャラクタの動作を制御する発明が開示されている。このように非接触タグに保持されている情報以外の情報を利用することで、更なるサービスの提供などの実現が期待できる。
【特許文献１】特開２００４−３３７５０４号公報
【発明の開示】
【発明が解決しようとする課題】
【０００４】
従来技術においては、質問器上での載置物の位置や向きについての情報を取得する場合には、複数のループコイルを用いる必要があった。すなわち、従来技術においては、多数のループコイルが網の目状に質問器に配置されており、この網の目状のループコイルのいずれの箇所に電磁誘導によって電圧が誘起されたかを検出することで、その位置などの検知しているものである。このため、複数のループコイルを用いなければならず、冗長的な構成になっていた。また、従来技術においては、平面上における非接触タグの移動によって情報を取得していたため、非接触タグの位置変化の様子を第三者に比較的容易に把握されてしまうため、例えばキャッシュカードの暗証番号の入力のように、遊技目的外に使用する場合においては利用者の不安感を払拭することが困難であった。
【０００５】
そこで、本発明は、かかる課題に鑑みてなされたものであり、非接触タグを利用する際に、非接触タグの距離変化に応じた情報を利用可能な質問器を提供することを目的とする。
【課題を解決するための手段】
【０００６】
そこで、本発明においては、かかる課題を解決するために、アンテナと、アンテナと非接触タグとの相対的な距離変化を示す距離変化情報を取得する距離変化情報取得部と、を有する質問器を提供する。質問器は、アンテナに対して所定の範囲内に非接触タグを配置し、利用者が力を加えることでアンテナと非接触タグとの相対的な前記距離変化を生じさせるための非接触タグ配置部を有していてもよい。また、非接触タグ配置部は、アンテナと非接触タグ配置面との間に弾性を有する弾性手段を配置してもよい。
【０００７】
また、質問器は、取得した距離変化情報をデコードして有意味情報とするデコード部をさらに有していてもよい。また、この場合に、有意味情報と、非接触タグとの通信によって得られた情報とを利用して処理を実行する情報処理部を有していてもよい。
【発明の効果】
【０００８】
本発明は、非接触タグと質問器のアンテナとの距離変化を示す情報を取得することにより、非接触タグに記憶保持されている情報以外の情報を簡易な構成で利用することが可能となる。このため、従来のＲＦタグシステムよりもさらに広範なサービスなどを提供することが可能となる。
【０００９】
また、ユーザからの入力情報として、非接触タグと質問器のアンテナとの距離変化を示す情報を利用することが可能となるため、質問器自体を入力装置として利用することが可能となり、入力装置の設置を省くことができ、さらには信頼性の高い情報入力を実現することが可能となる。
【発明を実施するための最良の形態】
【００１０】
以下に、各発明の実施の形態を説明する。なお、本発明はこれら実施の形態に何ら限定されるものではなく、その要旨を逸脱しない範囲において、種々なる態様で実施しうる。
【００１１】
なお、以下の実施形態と請求項の関係は次の通りである。実施形態１は、主に請求項１、４、６、７などについて説明する。実施形態２は、主に請求項２、３などについて説明する。実施形態３は、主に請求項５、８などについて説明する。
【００１２】
<<実施形態１>>
<実施形態１の概要>
本実施形態は、非接触タグと質問器のアンテナとの距離変化に関する情報を取得可能な質問器に関するものである。なお、本明細書においては、「非接触タグ」とは、ＩＣチップが搭載されたタグ、カードなどの総称を示すものであり、無線タグ、ＩＣタグ、ＩＣカード、ＲＦタグ、応答器なども「非接触タグ」という用語に含まれるものとして説明を行う。また、「質問器」についても同様に、リーダ／ライター、読み取り器なども「質問器」という用語に含まれるものとして説明を行う。
【００１３】
本実施形態の利用形態の一例としては、銀行などのＡＴＭ（Automatic Teller Machine）における利用形態が考えられる。図１２は、従来より行われているＡＴＭでの暗証番号の入力例を示した概要図である。ＩＣチップが含まれているＩＣカードをＡＴＭに投入して暗証番号を入力する場合には、ＡＴＭに設置されているキーマトリックスや液晶パネルなどが入力装置として利用されている。このような入力方式は、他人からの盗み見などがなされる可能性が高く、利用者の安全性が確保されたものとは言えなかった。一方、図１は、本実施形態の利用形態の一例を示す図である。図１においては、ＩＣカードを近接させ、質問器のアンテナとの距離を変化させることによって、暗証番号を入力している。このような入力方式は第三者からの盗み見を防止できると共に、その入力情報の信頼性が高くなる。
【００１４】
<実施形態１の構成>
図２に本実施形態における機能ブロックの一例を示す。図２に示す本実施形態の「質問器」（２００）は、「アンテナ」（２０１）と、「距離変化情報取得部」（２０２）と、を有する。以下、各構成要件について説明する。
【００１５】
質問器２００は、一例としては、制御用プロセッサや、ＲＯＭやＲＡＭ、変調器などから構成されているものである。質問器は非接触タグと通信を行って非接触タグに保持されている情報を読み出したり、あるいは、非接触タグに所定の情報を保持させるために書込み処理を行うものである。アンテナ２０１は、たとえば一般的に用いられているループ形状のアンテナを利用することができる。なお、非接触タグ２１０は、主として制御用のマイクロプロセッサと、アンテナなどから構成されており、質問器２００と通信を行うことで、情報のやり取りを行うものである。本実施形態は、この非接触タグ２１０に保持されている情報以外の情報を利用することが可能な質問器に関するものである。
【００１６】
距離変化情報取得部２０２は、アンテナ２０１と非接触タグ２１０との相対的な距離変化を示す距離変化情報を取得する。「相対的な距離変化」とは、例えばアンテナ２０１と非接触タグ２１０との間の水平方向の距離の変化であってもよいし、あるいはアンテナ２０１と非接触タグ２１０との間の垂直方向の距離の変化であってもよい。また、水平方面の距離の変化や垂直方面の距離の変化を組み合わせたものであってもよい。本実施形態においては、主に垂直方面の距離の変化に関する例について説明をする。
【００１７】
電磁誘導方式を利用した近接型の非接触タグにおいては、質問器のアンテナ２０１に高周波電流を流して発生した誘磁界に非接触タグを入れると、電磁誘導により非接触タグのアンテナ（図示せず）に電流が流れることを利用して非接触タグの電子回路を動作させる。すなわち、質問器にて非接触タグの情報を読み取る場合には、質問器のアンテナに非接触タグを近接させることが必要となっている。ここで、質問器のアンテナに非接触タグを近接させた状態で、その距離を変化させることによって、ユーザからの入力情報とし得る点が本実施形態の特徴である。
【００１８】
以下、距離変化情報取得部２０２における距離変化情報の取得例について説明する。図３は、距離変化情報取得部の回路の一例を示す図である。図３の距離変化情報取得部は、ブリッジ回路を構成して、非接触タグと質問器のアンテナとの距離の変化に応じてインピーダンスの変動が発生したことを検出することで距離変化情報を取得する例を示したものである。
【００１９】
図３では、非接触タグが近接していない状態においては、Ｒ１、Ｒ２、Ｒ３、及び、アンテナ（ANT0−ANT1間）のインピーダンス（Ｒant）によるブリッジ回路において、平衡状態が満たされているものとする。このように平衡状態が満たされている場合には、Ｒsenseには、電流が流れないため、Ｒsense間の電圧はゼロとなる（平衡条件  Ｒ１×Ｒant＝Ｒ２×Ｒ３）。かかる状態において、非接触タグがアンテナに近接した場合は、非接触タグが無い状態からＲantが推移するため、平衡状態を外れ、その程度が、Ｒsense間の電圧として検出される。ここで、平衡状態からのズレが少ないほど、Ｒsense間の電圧は低いものとなる。したがって、非接触タグとアンテナとの相対的距離が短くなった場合（非接触タグがアンテナに近づいた場合）には、平衡状態からのズレが大きくなり、Ｒsense間の電圧が高くなる。逆に非接触タグとアンテナとの相対的距離が長くなった場合（非接触タグがアンテナから離れた場合）には、平衡状態からのズレは小さいものとなる。このように、Ｒsense間の電圧の変動に応じて距離変化情報を取得することができる。
【００２０】
なお、図３の例では、非接触タグが近接しない状態において、平衡状態が満たされているものとして説明を行ったが、逆に、非接触タグがアンテナと接合する程度まで近接した場合に平衡状態が満たされるように質問器を構成してもよい。また、非接触タグ以外の媒質をアンテナと非接触タグ間に出し入れすることによってもインピーダンスの変動が生じるため、例えば非接触タグ自体を動かさない場合であっても、媒質の出し入れによるインピーダンスの変動によって「距離変化情報」を取得する、としてもよい。
【００２１】
このように、非接触タグと質問器のアンテナとの相対的な距離変化とは、質問器にて非接触タグとの距離が変化したことを把握することが可能な範囲内における距離の変化のことを示している。また、本実施形態は、非接触タグと質問器のアンテナとの距離変化に応じて情報を取得するものであり、従来技術のように、多数の網の目状のループコイルのいずれの箇所に電磁誘導によって電圧が誘起されたかを検出することで、その位置を検知しているものとは決定的に異なっているものである。
【００２２】
次に、このようにして取得した距離変化情報の利用例について説明をする。図４は、実施形態１の他の機能ブロック図を示す例である。図４に示す質問器４００は、「アンテナ」（４０１）と、「距離変化情報取得部」（４０２）と、「デコード部」（４０３）と、を有する。デコード部４０３を除く各構成については、既に説明したものと同様であるため、ここでの説明は省略する。
【００２３】
デコード部４０３は、取得した距離変化情報をデコードして有意味情報とするものである。「有意味情報」とは、それ自体で意味を有する情報のことであり、例えば質問器やホスト装置などにおいて利用可能な形態の情報のことである。具体的には後述する実施形態で説明する情報処理部や、あるいは、図外のホスト装置にて利用可能なデジタル信号形式の情報が挙げられる。距離変化情報は、例えば既に説明したような電圧の変動に応じた情報であり、デコード部においてその後の処理で利用可能な情報とするために有意味情報としているものである。なお、デコードの方法には様々な方法が考えられる。例えば、モールス信号のように、所定の距離に非接触タグの位置が変化した場合に、その位置している時間の長短によって有意味情報としたり、あるいは、位置の変動を二値データとして有意味情報とする場合が挙げられる。
【００２４】
図５は、距離変化情報をデコードする場合の例を示した図である。図５（ａ）は、モールス信号のように、長点と短点とを組み合わせた例を示している。図５（ａ）においては、例えば非接触タグを質問器のアンテナに相対的により一層近づけた状態が、図中の長点や短点の部分に相当し、非接触タグを質問器のアンテナから相対的に離した状態が、図中の空白部分（長点・短点以外の部分）に相当するものとすることができる。一方、図５（ｂ）は、二値データとしてデコードする一例を示している。例えば、所定の電圧を閾値として、その変動によって、電圧が高い場合（非接触タグが質問器のアンテナに相対的により一層近づいた状態）には、「１」を、電圧が低い場合には「０」を有意味情報とすることができる。なお、図５で示した例は、デコード例の一例に過ぎず、これに何ら限定されるものではない。また、距離変化情報をどのようにデコードして有意味情報とするかについては、質問器によって異なったものであってもよい。さらには、質問器は、図外のホスト装置などからデコードに関するデコード設定情報を取得して、その取得したデコード設定に応じてデコード処理を行うとしてもよい。
【００２５】
このようにしてデコードされた有意味情報は、後の実施形態で説明するように、非接触タグから取得した情報と共にその後の処理に利用されることが可能である。また、この有意味情報をそのまま図外のホスト装置に対して出力し、図外のホスト装置がその有意味情報を解釈して、その後の処理を行ってもよい。
【００２６】
<実施形態１の処理の流れ>
図６は、実施形態１における処理の流れの一例を示した図である。実施形態１の質問器は非接触タグが近接した度に、以下に示す処理を実行する。まず、アンテナと非接触タグとの相対的な距離変化を示す距離変化情報を取得する（Ｓ６１０）。次に、取得した距離変化情報をデコードして有意味情報とする（Ｓ６２０）。以下、これらの処理についての一例を説明する。なお、以下の例に処理の流れが限定されるものではないことはもちろんである。
【００２７】
Ｓ６１０においては、まず、インピーダンスの変動を認識したかを判断する（Ｓ６１１）。インピーダンスの変動を認識していない場合には、距離変化が起こっていないため、その後の処理は行わない。一方、インピーダンスの変動を認識した場合には、例えば図３で説明したブリッジ回路のＲｓｅｎｓｅ間の電圧に応じた処理を行う（Ｓ６１２）。すなわち、Ｒｓｅｎｓｅ間の電圧が高い場合には、非接触タグが近接したと認識する（Ｓ６１３）。一方、Ｒｓｅｎｓｅ間の電圧が低い場合には、非接触タグが離隔したと認識する（Ｓ６１４）。このようにしてＳ６１０における距離変化情報の取得がなされることになる。
【００２８】
ＳＳ６２０においては、非接触タグの相対的な距離の変化の種別を判断する（Ｓ６２１）。距離変化の種別が近接である場合には「１」を有意味情報として生成し（Ｓ６２２）、一方、距離変化の種別が離隔である場合には「０」を有意味情報として生成する（Ｓ６２３）。このようにして、Ｓ６２０における処理が行われることになる。
【００２９】
<実施形態１の効果>
実施形態１においては、非接触タグと質問器のアンテナとの相対的な距離変化を示す距離変化情報を取得することで、簡易な構成で非接触タグに保持されている情報以外の情報を取得することができる。また、その距離変化情報を有意味情報にデコードすることにより、例えば非接触タグを用いた入力装置として本実施形態の質問器を利用することが可能となる。さらには、距離変化情報は第三者がその意味を理解することが困難なため、ＡＴＭなどの暗証番号入力などのような入力装置に本実施形態の質問器を適用することで、スキミングや盗み見などによる被害を防止することも可能となる。
【００３０】
<<実施形態２>>
<実施形態２の概要>
実施形態２は、実施形態１で説明した質問器と同様に、非接触タグと質問器のアンテナとの相対的な距離の変化を示す情報を取得する質問器に関するものであるが、さらに非接触タグを配置する部分を有していることを特徴とするものである。
【００３１】
<実施形態２の構成>
図７（ａ）は、実施形態２における質問器７００の外観図の一例を示した図である。質問器７００は、「アンテナ」（７０１）と、「非接触タグ配置部」（７０２）と、を有する。なお、図示していないが、実施形態１で説明したように距離変化情報取得部又は、これらにデコード部を加えた構成を有している。非接触タグ配置部７０２を除く各構成については実施形態１で説明したものと同様であるため、ここでの説明は省略する。
【００３２】
非接触タグ配置部７０２は、アンテナ７０１に対して所定の範囲内に非接触タグ７１０を配置し、利用者が力を加えることでアンテナ７０１と非接触タグ７１０との相対的な前記距離変化を生じさせるためのものである。「所定の範囲内」とは、質問器が距離変化情報を取得可能な範囲のことであり、例えば非接触タグのアンテナと質問器のアンテナとの間で電磁誘導が生じ得る範囲のことである。また、利用者が力を加えるとは、利用者が非接触タグの上方から力を加えて押し下げることが挙げられる。これにより、非接触タグと質問器のアンテナとの相対的な距離変化を生じさせることになる。また、非接触タグ配置部７０２は、アンテナ７０１と非接触タグ配置面との間に弾性を有する弾性手段を配置したものであってもよい。非接触タグ配置面とはアンテナ７０１と反対側の非接触タグを配置する側の面のことである。弾性を有する弾性手段の一例としては、ゴム、ピストン、バネなどのいずれか一又はこれらを組み合わせたものが挙げられる。このような非接触タグ配置部を有することにより、非接触タグを押し下げた後に、非接触タグをアンテナから離す場合の力加減を制御することができるため、例えば電磁誘導が生じる範囲を超えた位置にまで非接触タグを離してしまうといった事態を回避することができる。なお、図７（ｂ）に示すように、非接触タグ配置部７０２ｂは、非接触タグ７１０ｂの配置位置を利用者が特定しやすいように凹部形状を有していてもよい。
【００３３】
図８は、実施形態２の他の例を示した図である。図８に示す質問器８００は、利用者が非接触タグを手に持った状態で、質問器のアンテナと近づけることで相対的な距離変化を引き起こす様子を示している。このように、質問器は、非接触タグを利用者が手に持った状態での距離変化を認識することももちろん可能である。図８のように、利用者が非接触タグを手に持ったまま利用することも可能とした利点としてはＩＣカードなどの貴重品を手放すことなく利用することができるため、利用者の安心感を向上させることができる点が挙げられる。
【００３４】
<実施形態２の効果>
実施形態２における質問器は、非接触タグ配置部を有していることにより、質問器のアンテナと非接触タグとの相対的な距離変化についてのユーザビリティを向上させることができる。例えば、非接触タグを質問器のアンテナ側に対して押し下げた後に、ユーザが手を離した場合には、弾性力によって、相対的距離がもっとも離れた位置にまで非接触タグが戻る。従って、ユーザとしては、単に非接触タグを押し下げ、また、押し下げた力を抜くことのみによって、相対的な距離変化を容易に発生させることが可能となる。
【００３５】
<<実施形態３>>
<実施形態３の概要>
実施形態３の質問器は、実施形態１で説明した距離変化情報をデコードした有意味情報と、非接触タグに保持されている情報とを利用して各種処理を行う質問器に関するものである。
【００３６】
<実施形態３の構成>
図９に本実施形態における機能ブロックの一例を示す。図９に示す本実施形態の「質問器」（９００）は、「アンテナ」（９０１）と、「距離変化情報取得部」（９０２）と、「デコード部」（９０３）と、「情報処理部」（９０４）と、を有する。情報処理部９０４を除く各構成については実施形態１で説明したものと同様であるため、ここでの説明は省略する。なお、実施形態２で説明した非接触タグ配置部等を有していてもよい。
【００３７】
情報処理部９０４は、有意味情報と、非接触タグとの通信によって得られた情報とを利用して処理を実行するものである。有意味情報については既に説明したとおりである。非接触タグとの通信によって得られた情報とは、非接触タグのＲＯＭやＲＡＭなどに保持されている情報のことであり、通常の非接触タグと質問器との通信によって得られる情報のことである。本実施形態においては、この通常得られる情報に、さらに有意味情報を利用して処理を実行するという点が特徴である。なお、処理の実行は、例えばＡＴＭなどの認証処理であってもよいし、あるいはメンテナンス用の処理であってもよい。また、有意味情報と、非接触タグとの通信によって得られた情報とを図外のホスト装置に対して出力してもよい。このように、有意味情報と、非接触タグとの通信によって得られる情報とを利用することによって、ＡＴＭや施錠時の暗証番号の入力や、あるいはメンテナンスコマンドの入力など多種多様なサービスの展開が可能となる。
【００３８】
<実施形態３の処理の流れ>
図１０は、実施形態３における質問器の処理の流れの一例を示した図である。実施形態３における質問器は、非接触タグが通信領域に入る度に図１０で示す処理を実行する。まず、非接触タグと通信をする（Ｓ１００１）。これは、例えば電磁誘導によって非接触タグのアンテナに電流が流れることによって、非接触タグ内の電子回路を起電させることなどが含まれる。次に、非接触タグから情報を取得する（Ｓ１００２）。そして、距離変化情報を取得し（Ｓ１０１０）、取得した距離変化情報をデコードして有意味情報とする（Ｓ１０２０）。Ｓ１０１０とＳ１０２０については、実施形態１で説明したものと同様である。その後、有意味情報と、非接触タグから取得した情報とを利用して処理を実行する（Ｓ１０３０）。
【００３９】
<実施形態３の具体例>
本実施形態の具体例を挙げて説明する。図１１は、質問器の具体的な態様の一例を示した図である。図１１に示すように、質問器１１００は、アンテナ１１０１、バンドパスフィルタ１１０２、復調器１１０３、発振器１１０７、変調器１１０８や、情報処理部としての制御用プロセッサ１１０４、ＲＯＭ／ＲＡＭ１１０５や、インターフェース回路１１０６などから構成される。また、距離変化情報取得部１１０９やデコード部１１１０などを有している。以下、質問器全般の動作を簡単に説明する。質問器１１００の制御用プロセッサ１１０４は、ＲＯＭ／ＲＡＭ１１０５に記憶保持されているコマンドを変調器１１０８に送り、変調器１１０８では、搬送波を変調してアンテナ１１０１から送信する。そして、非接触タグからの応答をアンテナ１１０１にて受けた場合には、バンドパスフィルタ１１０２にて信号成分を抽出し、復調器１１０３にて復調して制御用プロセッサ１１０４にその応答を送信する。また、非接触タグの距離変化を距離変化情報取得部１１０９が取得して、デコード部１１１０を介して制御用プロセッサ１１０４に対して送信する。制御用プロセッサ１１０４は、必要に応じてインターフェース回路１１０６を通じて図外のホスト装置に対して情報のやりとりを行う。
【００４０】
<実施形態３の効果>
実施形態３における質問器は、有意味情報と、非接触タグから得られた情報とを利用して処理を実行するため、単に非接触タグのみの情報に基づいて処理を実行することに比べて柔軟なサービスなどを提供することができる。
【図面の簡単な説明】
【００４１】
【図１】実施形態１の利用例を示す概念図
【図２】実施形態１を説明するための機能ブロック図
【図３】実施形態１の距離変化情報取得部の回路例を示す図
【図４】実施形態１を説明するための第二の機能ブロック図
【図５】実施形態１のデコード例を説明するための図
【図６】実施形態１の処理の流れを説明するための図
【図７】実施形態２を説明するための図
【図８】実施形態２の他の例を説明するための図
【図９】実施形態３を説明するための機能ブロック図
【図１０】実施形態３の処理の流れの一例を説明するための図
【図１１】実施形態３の質問器の具体的態様を示す図
【図１２】従来の利用例を示す図
【符号の説明】
【００４２】
２００、４００、９００  質問器
２０１、４０１、９０１  アンテナ
２０２、４０２、９０２  距離変化情報取得部
２１０、４１０、９１０    非接触タグ
４０３、９０３  デコード部
９０４  情報処理部
【図１】
2007221698.tif 000003
【図２】
2007221698.tif 000004
【図３】
2007221698.tif 000005
【図４】
2007221698.tif 000006
【図５】
2007221698.tif 000007
【図６】
2007221698.tif 000008
【図７】
2007221698.tif 000009
【図８】
2007221698.tif 000010
【図９】
2007221698.tif 000011
【図１０】
2007221698.tif 000012
【図１１】
2007221698.tif 000013
【図１２】
2007221698.tif 000014